(57)【特許請求の範囲】
【請求項１】
マスク１とマスク外面７’を覆い被せるフィルター２と給気通路３からなり、マスク１は鼻口周囲顔面を覆う無通気性の椀形状で縁に沿う接着部５と外面７’に突起するフィルターガイド１８’と排気筒１４と複数のフィルター支柱１１と先端掛かり４を設け、フィルター２には排気筒口１７、フィルターガイド口１８を開け、覆い被さるフィルター２に先端掛かり４を掛けウールファスナー５’とともにマスク外面７’の曲面に沿い給気通路３を形成し先端掛かり４よりフィルター２を着脱可能とし、マスク内面７に湾曲の弾性口腔支脚６、６を付勢し顔面に引き寄せ密着させ、鼻頂部２１に接触する滑り止め突起８に弾性体鼻部支脚９、９を上方鼻柱寄りに付勢し挟む１０と共に、フィルター２、給気通路３、マスク外面７’とマスク内面７を結ぶ吸気弁１２、及びマスク内面７と大気を結ぶ排気筒１４と排気弁１５を辿る通気を特徴とする眼鏡曇りを無くした防塵マスク。
【請求項２】
マスク１とマスク外面７ａを覆い被せるフィルター２’と給気通路３ａからなり、マスク１は鼻口周囲顔面を覆う無通気性の椀形状で外面７ａに突起するフィルターガイド１８’と排気筒１４と複数の半球形突起１ａに先端掛かり４’を設け、フィルター２’には排気筒口１７、フィルターガイド口１８を開け、覆い被さるフィルター２’に付着する中空繊維２ａを先端掛かり４’に掛けマスク外面７ａに沿い給気通路３ａを形成するとともに先端掛かり４’よりフィルター２’を着脱可能とし、マスク内面７に湾曲の弾性口腔支脚６、６を付勢し顔面に引き寄せ密着させ、鼻頂部２１に接触する滑り止め突起８に弾性体鼻部支脚９、９を上方鼻柱寄りに付勢し挟む１０と共に、フィルター２’、給気通路３ａ、マスク外面７ａとマスク内面７を結ぶ吸気弁１２、及びマスク内面７と大気を結ぶ排気筒１４と排気弁１５を辿る通気を特徴とする眼鏡曇りを無くした防塵マスク。
【請求項３】
マスク１とマスク外面７ｂを覆い被せるフィルター２”と給気通路３ｂからなり、マスク１は鼻口周囲顔面を覆う無通気性の椀形状で外面７ｂに突起するフィルターガイド１８’と排気筒１４と複数の鉤突起先端掛かり４”を設け、フィルター２”には排気筒口１７、フィルターガイド口１８を開け、覆い被さるフィルター２”に付着する束線状支桿２ｂを先端掛かり４”に掛けマスク外面７ｂ沿いに給気通路３ｂを形成するとともに鉤突起先端掛かり４”よりフィルター２”を着脱可能とし、マスク内面７に湾曲弾性口腔支脚６、６を付勢し顔面に引き寄せ密着させ、鼻頂部２１に接触する滑り止め突起８に弾性体鼻部支脚９、９を上方鼻柱寄りに付勢し挟む１０と共に、フィルター２”、給気通路３ｂ、マスク外面７ｂとマスク内面７を結ぶ吸気弁１２、及びマスク内面７と大気を結ぶ排気筒１４と排気弁１５を辿る通気を特徴とする眼鏡曇りを無くした防塵マスク。
【発明の詳細な説明】
【０００１】
【産業上の利用分野】
本発明はマスク使用時滞の眼鏡曇りを無くした防塵マスクの改良に関するものである。
【０００２】
【従来の技術】
マスクは、焼却施設の煤煙やダイオキシン問題のほかに、作業現場等の塵埃、感染症予防などの保身目的と同時に、地球自然環境に至る身体の健康管理面から重要性が問われている。
【０００３】
従来のマスクとして、呼吸保護のガーゼマスクの簡単なもののほか、使い捨てマスク、（図１２参照）マスクに排気弁をつけたもの、（図１４参照）その他、無通気性マスクに給排気弁を設けて、給気部にフィルターを使いフィルター単独の交換を容易にしたマスク、（図１１参照）など鼻口周囲を覆い、装着方法としてはゴム紐、布紐などにより、耳、後頭部、首にかけるか口にくわえるようにした簡単な衛生マスクのほか、防塵、医療、防毒マスクなど幅広く普及している。
【０００４】
【発明が解決しようとする課題】
しかし上記マスク使用時滞に不充分な課題が残っている、まず眼鏡の曇りによる視界不良の危険性、各種作業の能率低下中断などがある、眼鏡曇りの要因としては、マスク使用時間の経過による湿気又は塵埃による通気性悪化と、鼻上をゴムなどの軟性樹脂で覆うタイプのマスクでは、顔面との密着不良による隙間からの排気漏れ（図１０図１１参照）
【０００５】
及び鼻頂部に合う金属片等によって密着させ、フィルター自体を給排気通路としたマスクではフィルターを通過した排気にあっても、眼鏡下部付近の排気は眼鏡曇り要因となる。（図１２参照）
【０００６】
フィルターに直接呼吸する前記マスクにあっては、如何にフィルターの性能を向上させても短時間で目詰まりしてしまい、マスク内部の放出圧力が高まり顔面との隙間から漏洩してしまっている、また排気弁をつけたマスクにあっても、マスク内部に身体排気の流通があることと、湿気がこもることにより目詰まりしてしまい効果的な空気清浄は難しく眼鏡曇りの要因となっている、作業途上等、拭きとれない状況では何れかを外すほかなく安全衛生の面から重大な欠陥となる。（図１２図１３図１４参照）
【０００７】
その他マスク自体の給排気装置の構造が複雑となり重量化、大形化し狭い場所では物に当たったり外れるなど作業性を悪化させ小廻りがきかない、（図１０図１１参照）
【０００８】
またマスク装着の不便性がある、通常紐を両耳に掛けるか後頭部に廻し使用する、しかし建設現場などでは紐を使用したマスク自体、使用不能となることが多い、例えば床下、天井裏作業の腹這い状態では、根太などに引き掛けて外れてしまい手の使えない状況では、再度掛け直すなど到底できない、
【０００９】
そこで掛け紐のない実登３０３１３６７号、実開平３−８８５５７号などの、支持具を弾性体として口にくわえ使用するなどの考案がある、しかしマスク支持体を口にくわえ保持することによって、特に鼻部付近の密着不良となるほか、何れもマスクと顔面の機密性は紐で掛けるマスクに劣り、眼鏡の曇りはかえって増大し防塵マスクとして使用不能となる、（図１３参照）
【００１０】
その他、重量化、大形化したマスクは長時間口にくわえ保持することは困難で使用に耐えきれない、従って掛け紐のないマスクを如何に小形軽量化し且つ、マスクと顔面の機密性を高めるマスクの開発がまたれている。また薬剤による眼鏡曇りどめはあるが、塵埃マスク使用下の環境では身体排気温度を上回る外気温の夏期においても眼鏡の曇り生成はおこり上記薬剤など通用しない。
【００１１】
本発明は斯かる重要課題を解決するため、眼鏡曇り生成の原因を除去し、小形軽量化と共に掛け紐不要の新規要素のマスクを提供するものである。
【００１２】
【課題を解決するための手段】
ａ）  本発明に係る防塵マスクの第１はマスク１と、外面を覆うフィルター２、２’、２”と、給気通路３、３ａ、３ｂとからなり、上記マスク１は鼻口周囲顔面を覆う無通気性の椀形状で縁に沿う接着部５と、外面７’に突起するフィルターガイド１８’と排気筒１４と、複数のフィルター支柱１１の先端掛かり４と、他のマスク外面７ａ（図８参照）の半球形突起１ａ先端掛かり４’と、他のマスク外面７ｂ（図９参照）鉤突起１ｂ先端掛かり４”とによりフィルター２、２’（図８参照）、２”（図９参照）の着脱を可能とし、
【００１３】
内面７に湾曲の弾性口腔支脚６、６を付勢し顔面に引き寄せ密着すると共に、鼻頂部２１に接触する滑り止め突起８に弾性体鼻部支脚９、９を上方鼻柱寄りに付勢し挟む１０と共に、内面７と外面７’、７ａ（図８参照）、７ｂ（図９参照）を結ぶ吸気弁１２と、内面７と大気とを結ぶ排気筒１４と排気弁１５を設け、空気流通を制限的に可能とし眼鏡曇りを無くして成る。
【００１４】
ｂ）  本発明に係る防塵マスクの第２はマスク１と外面を覆うフィルター２、２’、２”と給気通路３、３ａ、３ｂからなり、上記マスク１の外面７’を覆う通気性濾過材、フィルター２に排気筒口１７と、フィルターガイド口１８を開け、マスク外面７’の曲面に沿い押圧接着すると共に、フィルター支柱１１に係止し先端掛かり４に掛け保持し、マスク１外周２２を覆い被ぶせると共に、外周辺のウールファスナー５’を接着し給気通路３を形成し使用可能と成る。
【００１５】
他のフィルター２’（図８参照）は内面に中空繊維２ａを付着し、マスク外面７ａ半球形突起１ａ先端掛かり４’に係合し、マスク外面７ａ曲面に沿い押圧密着させ中空繊維２ａの隙間による給気通路３ａを形成し使用可能と成る。
【００１６】
他のフィルター２”（図９参照）は内面に束線状支桿２ｂを付着し、マスク外面７ｂ鉤突起１ｂ先端掛かり４”に係合し、マスク７ｂ曲面に沿い押圧密着させ、束線状支桿２ｂの隙間による給気通路３ｂを形成し使用する眼鏡曇りを無くして成る。
【００１７】
ｃ）  本発明に係る防塵マスクの第３はマスク１と、外面を覆うフィルター２、２’、２”と、給気通路３、３ａ、３ｂとからなり、上記マスク１と、フィルター２、２’、２”との隙間をなす給気通路３、３ａ、３ｂにより清浄空気を吸気弁１２より吸い込み、身体排気は排気筒１４排気弁１５より放出するようにし眼鏡曇りを無くして成る。
【００１８】
【作用】
上記本発明に係る眼鏡曇りを無くした防塵マスクの使用状態は次のようになる。マスク１の顔面接触部はゴム等軟性であるが、中央寄りには容易に凹まない椀形状を維持できる硬質とし、フィルター支柱１１先端掛かり４は外向きに尖り、フィルター２を貫通しない長さで、フィルター２は支柱１１の段差１１’で受け止め給気通路３を形成するようにし、
【００１９】
フィルター２はマスク１全面に覆い被ぶさる大きさで、排気筒口１７とフィルターガイド口１８を開けた状態となっている、あとはフィルター２をマスク外面７’の排気筒１４とフィルターガイド１８’に合わせ押圧し密着させ、三層マスク１’の使用が可能となる。
【００２０】
またマスク１外面７ａ（図８参照）の半球形突起１ａ先端掛かり４’に対し、フィルター２’の中空繊維２ａの糸片を押圧係合保持し、中空繊維２ａの隙間を給気通路３ａとして使用するものと、
【００２１】
マスク１外面７ｂ（図９参照）の鉤突起１ｂに対し、フィルター２”の束線状支桿１ｂ先端掛かり４”を押圧係合保持し、束線状支桿１ｂの隙間を給気通路３ｂとして使用するようになる。
【００２２】
他方、内面７にはマスク自体１’を装着保持するようにした湾曲の弾性口腔支脚６、６を、唇左右端を支点に歯の外側に差し込み、内側に付勢されているから顔面方向に引き寄せる効果が働き周囲全体を密着させ、軟質のマスク１は顔面に沿い排気漏洩は少なく、たとえあった場合には給気通路３、３ａ、３ｂに戻り２０（図４参照）眼鏡曇りの影響はなくなる。
【００２３】
また弾性体鼻部支脚９、９は鼻呼吸に支障のない大きさであって上方内側に双方を付勢し鼻柱を軽く挟むと共に鼻頂部２１に接触するマスク内部７、滑り止め突起８との隙間の鼻を更に挟む１０ように密着保持され眼鏡曇りの影響はなくなる。
【００２４】
上記によって外気の埃など濾過した清浄な空気は、給気通路３、３ａ、３ｂに入り吸気弁１２を開きマスク内部１３に入り、身体からの排気は吹き出し方向の排気筒１４排気弁１５を開き直接大気に放出するようになり眼鏡曇りの影響はなくなる。
【００２５】
【実施例】
ａ）  図１より図９にかけては本発明に係る実施例を示しており、マスク１と、外部を覆うフィルター２、２’、２”と、給気通路３、３ａ、３ｂとから構成され、マスク１はゴム等の軟性樹脂製で、椀形状の内面７（図６参照）に湾曲の弾性口腔支脚６、６と、弾性鼻部支脚９、９と、滑り止め突起８を形成し、
【００２６】
外面７’（図５参照）に点在するフィルター支柱１１と、先端掛かり４と、フィルターガイド１８’と、図８に示す外面７ａに点在する半球形突起１ａ先端掛かり４’と、図９に示す外面７ｂに点在する鉤掛かり１ｂと先端掛かり４”を形成し、吸気弁１２と排気筒１４排気弁１５により内部７と、外部７’、７ａ、７ｂの空気流通を可能としている、（図４図６図７参照）
【００２７】
よって掛け紐不用のマスク１は顔面にほどよく密着し、隙間からの排気漏洩はなくなり、眼鏡の曇りをなくすことができるのである、しかし口中に差し込むことから衛生上の問題となるような場合には勿論掛け紐で使用すればよい、またゴム等の無通気性マスク１には、身体呼吸の湿気によって水滴を大量に生成することから下端に吸水布１６を取り替え可能としている。
【００２８】
ｂ）  上記のマスク１に対して、フィルター２は外周２２を覆い被ぶせる濾過材で一般に言うフィルターであるが、防塵、防毒の何れを限定せず排気筒口１７と、フィルターガイド口１８を合わせ曲面に沿い押圧し、ウールファスナー５、５’と、フィルター支柱１１の先端掛かり４に係合させ保持するようになっている、その際フィルター支柱１１の段差１１’に係止され、マスク外面７’とは少なくとも５ｍｍ程度の隙間となっている。
【００２９】
また図８に示すフィルター２’と、中空繊維２ａとから構成されたものは、フィルター２’内面に中空繊維２ａを付着してあり、マスク外面７ａの半球形突起１ａ先端掛かり４’に、フィルター２’を曲面に沿い押圧し係合するようになっていて、
【００３０】
中空繊維２ａは通気性がよくフィルター２’を通過した清浄空気の流通に支障なく、先端掛かり４’に絡まった糸片は容易に外れてしまうことなく機能を維持する、そしてフィルター２’の交換が簡単にできるほか給気通路３ａとなる中空繊維２ａの層を８ｍｍ程度にしているので、フィルター２’の外方向から何らかの押圧がかかっても、繊維の弾力性により緩むと同時に元に戻り給気通路３ａは、フィルター２’と一体となり確保される。
【００３１】
図９に示すフィルター２”は、束線状支桿２ｂを付着させてあり、マスク外面７ｂの鉤掛かり１ｂの曲面に沿い押圧し、束線状支桿２ｂ先端掛かり４”を係合するようにしてあり足は８ｍｍ程度の長さで、マスク外面７ｂとフィルター２”内面の給気通路３ｂを形成し補強している。
【００３２】
フィルター２”を通過した清浄空気は束線状支桿２ｂの間の隙間よりの、空気流通に支障はなく、鉤掛かり１ｂと束線状支桿２ｂの係合は容易に外れることなく機能を維持する、そしてフィルター２”の交換が簡単にできるほか、給気通路３ｂとなる束線状支桿２ｂの復元力によりフィルター２”の外方向から何らかの押圧がかかっても復帰し、給気通路３ｂはフィルター２”と一体となり確保される。上記フィルター２、２’、２”の何れも外す際は、より強く引っ張りめくるように外す。（図５参照）
【００３３】
上記マスク１と、フィルター２、２’、２”との間に給気通路３、３ａ、３ｂ（図８図９参照）が形成されたことによりフィルター裏面全体より清浄空気は、該空気通路３、３ａ、３ｂを介し吸気弁１２へと向かい円滑な給排気と共に、軽量小形化が可能となるほか、
【００３４】
上記マスク１と顔面形容による隙間が生じて排気漏洩があっても、フィルター内部２０より迂回して、給気通路３、３ａ、３ｂに戻り眼鏡曇りの影響はなく、小形なるが故に掛け紐を不用とし小廻りがきき、しかもフィルター交換は、排気筒１４と、フィルターガイド１８’に合わせ押圧するだけの簡単なものになる。
【００３５】
【発明の効果】
眼鏡曇り要因払拭の新規マスク実現により前記課題が解決された、本発明に係る眼鏡曇りを無くした防塵マスクは、手軽な装着と、濾過、給気、排気の三層それぞれの機能が一本化しているので、小形軽量のほか掛け紐不用と使い易くなっている。
【００３６】
即ち、従来のマスクは身体呼吸の排気による湿気の影響等により、短時間で目詰まりしてしまうなど眼鏡の曇りがひどかった。
【００３７】
これに対して、本発明の眼鏡曇りを無くした防塵マスクはかさばるフィルターケースを廃棄し、小形軽量化と共に給排気それぞれの片方向への流れによって、身体呼吸の湿気の影響をなくすことができて、フィルター目詰まりは少なく長時間の使用が可能となる、またフィルター交換が容易なほかマスクの水洗いが簡単で安価な製作が可能となった。
【００３８】
その他マスクを覆い被ぶせるフィルターによって、マスク周辺からの排気漏洩があった場合でも、この排気を給気通路に戻し外部に排出しなくなり眼鏡の曇りはまったくなくなるのである。
【００３９】
【図面の簡単な説明】
【図１】  本発明に係るマスク装着の実施例を示す正面図である。
【図２】  マスク装着の実施例を示す側面図である。
【図３】  フィルターの平面を示す図である。
【図４】  図１のＡ−Ａ線断面を示す図である。
【図５】  マスク正面を示し、フィルターの剥離状態を示す図である。
【図６】  マスク裏面を示す図である。
【図７】  図１のＢ−Ｂ線断面を示す図である。
【図８】  マスク外面半球形突起と、フィルターに中空繊維を付着したそれぞれ断面の使用状態を示す図である。
【図９】  マスク外面鉤突起と、フィルターに束線状支桿を付着したそれぞれ断面の使用状態を示す図である。
【図１０】  吸気フィルターを左右に取り付けた参考例である。
【図１１】  吸気フィルターを前面に取り付けた参考例である。
【図１２】  一つのフィルターで吸気排気を行い頂部に鉄片等をつけた参考例である。
【図１３】  口にくわえて使用するマスクの参考例である。
【図１４】  フィルターに排気弁をつけた参考例である。
【符号の説明】
１    ・・・  マスク                        １’  ・・・  マスク自体
２    ・・・  フィルター                    ２’  ・・・  フィルター
２”  ・・・  フィルター                    ２ａ  ・・・  中空繊維
２ｂ  ・・・  束線状支桿                    ３    ・・・  給気通路
３ａ  ・・・  中空繊維給気通路              ３ｂ  ・・・  束線状支桿給気通路
４    ・・・  フィルター支柱先端掛かり      ４’  ・・・  半球形突起先端掛かり
４”  ・・・  鉤突起先端掛かり              ５    ・・・  接着部
５’  ・・・  ウールファスナー              ６    ・・・  弾性体口腔支脚
７    ・・・  マスク内面                    ７’  ・・・  マスク外面
８    ・・・  滑り止め突起                  ９    ・・・  弾性体鼻部支脚
１０    ・・・  把持狭間                    １１    ・・・  フィルター支柱
１１’  ・・・  フィルター支柱の段差        １２    ・・・  吸気弁
１３    ・・・  マスク内部                  １４    ・・・  排気筒
１５    ・・・  排気弁                      １６    ・・・  吸水布
１７    ・・・  排気筒口                    １８    ・・・  フィルターガイド口
１８’  ・・・  フィルターガイド            １９    ・・・  吸水布接着部
２０    ・・・  排気迂回部                  ２１    ・・・  鼻頂部
２２    ・・・  マスク外周
【図１】
0004465425.tif 000002
【図２】
0004465425.tif 000003
【図３】
0004465425.tif 000004
【図４】
0004465425.tif 000005
【図５】
0004465425.tif 000006
【図６】
0004465425.tif 000007
【図７】
0004465425.tif 000008
【図８】
0004465425.tif 000009
【図９】
0004465425.tif 000010
【図１０】
0004465425.tif 000011
【図１１】
0004465425.tif 000012
【図１２】
0004465425.tif 000013
【図１３】
0004465425.tif 000014
【図１４】
0004465425.tif 000015